(57)【要約】【課題】コネクタ同士の接続が可能な、コネクタ同士の接続方向に延びる軸線回りのコネクタ同士の相対回転位置を増やすことができるコネクタ装置を提供する。【解決手段】第１コネクタ２１は、第１基準端子６１と、２つの第１端子６２ａ，６２ｂと、第１端子６２ａ，６２ｂを互いに短絡する第１コネクタ側分流部材８１とを有する。第２コネクタ２２は、第２基準端子１３１と、第１端子６２ａ，６２ｂの数以下の数の第２端子１３２ａ、１３２ｂとを有する。第１コネクタ２１と第２コネクタ２２との接続方向Ｚ１から見て、第１端子６２ａ，６２ｂは、第１基準端子６１を中心として回転対称となるように配置されている。第２端子１３２ａ，１３２ｂは、第２基準端子１３１が第１基準端子６１と接続方向Ｚ１に対向されたときに第１端子６２ａ，６２ｂのうちの何れかと接続方向Ｚ１に対向可能である。【選択図】図１
2020135940.tif 000002
【特許請求の範囲】
【請求項１】
第１基準端子と、複数の第１端子と、複数の前記第１端子を互いに短絡する第１コネクタ側分流部材とを有する第１コネクタと、
前記第１基準端子と電気的に接続される第２基準端子と、前記第１端子と電気的に接続可能な前記第１端子の数以下の数の第２端子とを有し前記第１コネクタに接続される第２コネクタと、
を備え、
前記第１コネクタと前記第２コネクタとの接続方向から見て、複数の前記第１端子は、前記第１基準端子を中心として回転対称となるように配置されており、
前記第２端子は、前記第２基準端子が前記第１基準端子と前記接続方向に対向されたときに複数の前記第１端子のうちの何れかと前記接続方向に対向可能であるコネクタ装置。
【請求項２】
複数の前記第１端子のうち２つの前記第１端子は、当該２つの前記第１端子の間に前記第１基準端子を挟むように配置されており、前記接続方向から見て、当該２つの前記第１端子と前記第１基準端子とが一直線上に並んでいる請求項１に記載のコネクタ装置。
【請求項３】
前記第２コネクタは、前記第１端子と同数の前記第２端子と、複数の前記第２端子を互いに短絡する第２コネクタ側分流部材とを有する請求項１又は請求項２に記載のコネクタ装置。
【請求項４】
前記第１コネクタ側分流部材は、電線が接続される接続部を有し、前記接続部から各前記第１端子までの電流経路の長さが等しい請求項１から請求項３の何れか１項に記載のコネクタ装置。
【発明の詳細な説明】
【技術分野】
【０００１】
本発明は、コネクタ装置に関する。
【背景技術】
【０００２】
一般的に、自動車や電動バイク等においてバッテリとインバータとは、陽極側の回路と陰極側の回路との２つの回路を介して接続される。そのため、従来、バッテリとインバータとを電気的に接続するために設けられるコネクタ装置では、バッテリ側のコネクタ及びインバータ側のコネクタは、それぞれ陽極の端子と陰極の端子とを備えた構成となっている。そして、各コネクタにおいて、陽極の端子と陰極の端子との２つの端子は、例えば、横並びに一列に配置される（特許文献１参照）。
【先行技術文献】
【特許文献】
【０００３】
【特許文献１】特開２０１２−１２８９６６号公報
【発明の概要】
【発明が解決しようとする課題】
【０００４】
ところで、近年、電動バイク、電気自転車等の電動車両には、車体に対して着脱可能なバッテリを搭載したものがある。バッテリは、例えば、車両側に設けられたインバータに接続された第１コネクタに、当該バッテリに設けられた第２コネクタを接続することにより、インバータと電気的に接続される。バッテリは、使用者によって交換や充電等のために車体に対して着脱されることが頻繁にある。
【０００５】
このような車体に対して着脱可能なバッテリと車両側のインバータとを接続するコネクタ装置に備えられるコネクタとして、従来のように陽極の端子と陰極の端子との２つの端子が横並びに一列に配置されたものを使用することが考えられる。この場合、車体に対してバッテリを装着する際には、一方のコネクタの陽極の端子は他方のコネクタの陽極の端子と接続され、且つ一方のコネクタの陰極の端子は他方のコネクタの陰極の端子と接続されるように、車体に設けられたバッテリの収容部にバッテリを挿入することになる。即ち、コネクタ同士の接続を可能にする、コネクタ同士の接続方向に延びる軸線回りのコネクタ同士の相対回転位置は１つになる。そのため、車体に対してバッテリを装着する際には、コネクタ同士を接続できるように、収容部へのバッテリの挿入方向に延びる軸線回りのバッテリと収容部との相対回転位置を、常に同じ位置にすることになる。しかしながら、使用者の利便性を考慮すると、当該バッテリと収容部との相対回転位置が複数あることが好ましい。即ち、コネクタ装置において、コネクタ同士の接続を可能にする、コネクタ同士の接続方向に延びる軸線回りのコネクタ同士の相対回転位置が複数あることが望まれている。
【０００６】
本発明は、上記課題を解決するためになされたものであって、その目的は、コネクタ同士の接続が可能な、コネクタ同士の接続方向に延びる軸線回りのコネクタ同士の相対回転位置を増やすことができるコネクタ装置を提供することにある。
【課題を解決するための手段】
【０００７】
上記課題を解決するコネクタ装置は、第１基準端子と、複数の第１端子と、複数の前記第１端子を互いに短絡する第１コネクタ側分流部材とを有する第１コネクタと、前記第１基準端子と電気的に接続される第２基準端子と、前記第１端子と電気的に接続可能な前記第１端子の数以下の数の第２端子とを有し前記第１コネクタに接続される第２コネクタと、を備え、前記第１コネクタと前記第２コネクタとの接続方向から見て、複数の前記第１端子は、前記第１基準端子を中心として回転対称となるように配置されており、前記第２端子は、前記第２基準端子が前記第１基準端子と前記接続方向に対向されたときに複数の前記第１端子のうちの何れかと前記接続方向に対向可能である。
【０００８】
上記態様によれば、第１コネクタにおいて、複数の第１端子は、第１コネクタと第２コネクタとの接続方向から見て、第１基準端子を中心として回転対称となるように配置されている。従って、第１コネクタと第２コネクタとの接続方向に第１基準端子と第２基準端子とを対向させた状態で、同接続方向に延びる軸線回りに第２基準端子を中心として第１コネクタに対して第２コネクタを回転させると、複数の第１端子の位置に応じて所定の角度ごとに第２端子を第１端子に接続可能となる。即ち、同状態で、同接続方向に延びる軸線回りに第２基準端子を中心として第１コネクタに対して第２コネクタを回転させると、複数の第１端子の位置に応じて所定の角度ごとに第２コネクタを第１コネクタに接続可能となる。その結果、第１コネクタと第２コネクタとの接続が可能な、第１コネクタと第２コネクタとの接続方向に延びる軸線回りの第１コネクタと第２コネクタとの相対回転位置を増やすことができる。
【０００９】
複数の前記第１端子のうち２つの前記第１端子は、当該２つの前記第１端子の間に前記第１基準端子を挟むように配置されており、前記接続方向から見て、当該２つの前記第１端子と前記第１基準端子とが一直線上に並んでいることが好ましい。
【００１０】
上記態様によれば、第１コネクタと第２コネクタとの接続方向に第１基準端子と第２基準端子とを対向させた状態で、同接続方向に延びる軸線回りに第２基準端子を中心として第１コネクタに対して第２コネクタを１８０°回転させるごとに、第２端子を第１端子に接続可能とすることができる。即ち、同状態で、同接続方向に延びる軸線回りに第２基準端子を中心として第１コネクタに対して第２コネクタを１８０°回転させるごとに、第２コネクタを第１コネクタに接続可能とすることができる。
【００１１】
前記第２コネクタは、前記第１端子と同数の前記第２端子と、複数の前記第２端子を互いに短絡する第２コネクタ側分流部材とを有することが好ましい。
上記態様によれば、第１コネクタと第２コネクタとが接続された状態において、全ての第１端子に通電されることになる。即ち、同状態において、通電されない状態になることがある第１端子がなくなる。従って、第１コネクタ側分流部材を介して供給される電流は、第１コネクタ側分流部材に接続されている複数の第１端子に常に分流されることになるため、第１コネクタ側分流部材に接続されている複数の第１端子の各々に供給される電流の最大値を小さく抑えることができる。その結果、第１コネクタ側分流部材に接続されている第１端子を小型化することができる。また、第１端子の数よりも第２端子の数が少ない場合に比べて、各第２端子に供給される電流の最大値を小さくすることができる。その結果、各第２端子を小型化することができる。これらのことから、第１コネクタ及び第２コネクタを小型化することが可能になる。
【００１２】
前記第１コネクタ側分流部材は、電線が接続される接続部を有し、前記接続部から各前記第１端子までの電流経路の長さが等しいことが好ましい。
上記態様によれば、第１コネクタ側分流部材において、接続部と各第１端子との間の電気抵抗を互いに等しくすることができる。その結果、接続部から第１コネクタ側分流部材に流れる電流を第１コネクタ側分流部材において各第１端子に等分に分けることができるため、各第１端子を流れる電流の大きさにばらつきが出ることを抑制できる。
【発明の効果】
【００１３】
本発明のコネクタ装置によれば、コネクタ同士の接続が可能な、コネクタ同士の接続方向に延びる軸線回りのコネクタ同士の相対回転位置を増やすことができる。
【図面の簡単な説明】
【００１４】
【図１】第１実施形態におけるコネクタ装置の断面図。
【図２】第１実施形態における第１コネクタの分解斜視図。
【図３】第１実施形態における第２コネクタの分解斜視図。
【図４】（ａ）は第１実施形態の第１コネクタにおける端子の配置位置を示す模式図、（ｂ）及び（ｃ）は第１実施形態の第２コネクタにおける端子の配置位置を示す模式図。
【図５】第２実施形態におけるコネクタ装置の断面図。
【図６】（ａ）は第２実施形態の第１コネクタにおける端子の配置位置を示す模式図、（ｂ）及び（ｃ）は第２実施形態の第２コネクタにおける端子の配置位置を示す模式図。
【図７】（ａ）は変更例の第１コネクタにおける端子の配置位置を示す模式図、（ｂ）〜（ｄ）は変更例の第２コネクタにおける端子の配置位置を示す模式図。
【図８】（ａ）は変更例の第１コネクタにおける端子の配置位置を示す模式図、（ｂ）〜（ｄ）は変更例の第２コネクタにおける端子の配置位置を示す模式図。
【発明を実施するための形態】
【００１５】
＜第１実施形態＞
以下、コネクタ装置の一実施形態について説明する。
図１に示す本実施形態のコネクタ装置２０は、例えば電動バイク、電気自転車等の電動車両に備えられ、車両に搭載される図示しないインバータと、同車両に着脱可能に装着されるバッテリ１１とを電気的に接続するものである。コネクタ装置２０は、車体１３に固定される第１コネクタ２１と、バッテリ１１のケース１２に固定される第２コネクタ２２とを備えている。
【００１６】
図１及び図２に示すように、第１コネクタ２１は、第１ハウジング３０と、１つの第１基準端子６１と、２つの第１端子６２ａ，６２ｂと、第１コネクタ側分流部材８１とを有する。
【００１７】
第１ハウジング３０は、ハウジング本体３１と、ハウジング本体３１に組み付けられるバックリテーナ３２とを有する。ハウジング本体３１及びバックリテーナ３２は、絶縁性の樹脂材料よりなる。
【００１８】
ハウジング本体３１は、有底筒状の第１嵌合部４１を有する。第１嵌合部４１は、平板状の支持部４２と、支持部４２の外周縁部に立設された筒状部４３とを有する。なお、車体１３における第１コネクタ２１が固定される場所の形状に応じて第１コネクタ２１を任意の向きに配置することが可能であるが、本実施形態では、筒状部４３の延びる方向を上下方向とする。そして、以下では、Ｘ方向を前方向、Ｙ方向を右方向、Ｚ方向を上方向として説明する。
【００１９】
支持部４２は、上下方向と直交する平板状をなすとともに、上側から見た外形が左右方向に長いトラック（競走路）形状をなしている。また、筒状部４３は、支持部４２の外周縁において支持部４２の前後方向の両端の直線状をなす部分から上方に延びる平板部４４と、支持部４２の外周縁において左右方向の両端の円弧状をなす部分から上方に延びる円弧部４５とを有する。一対の平板部４４は、それぞれ前後方向と直交する四角形の平板状をなしている。また、円弧部４５は、平板部４４と同じ厚さに形成されている。そして、筒状部４３は、上側から見た形状が支持部４２と同様に左右方向に長いトラック（競走路）形状をなしている。
【００２０】
また、ハウジング本体３１は、第１嵌合部４１の外周面から鍔状に延出された固定部４６を有する。固定部４６は、筒状部４３の基端部（下端部）における外周面から外側に延出されるとともに、環状をなしている。また、固定部４６は、互いに離れた複数箇所（本実施形態では６箇所）に固定孔４７を有する。本実施形態では、固定孔４７は、固定部４６において、第１嵌合部４１の前後方向の両側に２つずつ、左右方向の両側に１つずつ設けられている。各固定孔４７は、固定部４６を上下方向に貫通するとともに、各固定孔４７の内周面には、円筒状をなす金属製のカラー４８が装着されている。
【００２１】
第１コネクタ２１は、ハウジング本体３１が固定部４６において車体１３に固定されることにより、車体１３に対して固定される。具体的には、車体１３における第１コネクタ２１を固定する場所には、装着孔１３ａが設けられている。そして、車体１３における装着孔１３ａの外周部分に車体１３の外側から固定部４６が重ね合わされるとともに、各固定孔４７、即ち各カラー４８に挿通された図示しないボルト及びナットによって車体１３における装着孔１３ａの外周部分と固定部４６とが固定されることにより、第１コネクタ２１は車体１３に固定される。
【００２２】
また、ハウジング本体３１は、第１嵌合部４１の外周面から突出した２つの固定凸部４９を有する。各固定凸部４９は、第１嵌合部４１において固定部４６よりも下方に位置している。そして、各固定凸部４９は、支持部４２の左右方向の両端部における外周面から左右方向の外側に突出している。
【００２３】
また、第１嵌合部４１は、支持部４２に複数の挿通孔５１を有する。本実施形態では、挿通孔５１は、支持部４２に３個設けられている。各挿通孔５１は、支持部４２を上下方向に貫通するとともに、上側から見た形状が円形状をなしている。そして、各挿通孔５１の内径は互いに等しい。また、３つの挿通孔５１は、支持部４２の前後方向の中央を通り左右方向に延びる支持部４２の中心線（図示略）上で一直線に並んでいる。更に、中央の挿通孔５１の径方向の中心は、第１嵌合部４１の中心線Ｌ１上に位置する。なお、第１嵌合部４１の中心線Ｌ１は、第１嵌合部４１の前後方向の中央及び第１嵌合部４１の左右方向の中央を通り上下方向に延びる直線である。また、中央の挿通孔５１と左の挿通孔５１との間の間隔Ｄ１と、中央の挿通孔５１と右の挿通孔５１との間の間隔Ｄ２とは等しい。
【００２４】
また、第１嵌合部４１は、支持部４２において、各挿通孔５１における第１嵌合部４１の内側に開口した開口部の周縁部から延びる円筒状の保持部５２を有する。保持部５２は、同保持部５２の基端側に位置する挿通孔５１と同軸上に位置するとともに、当該挿通孔５１と内径が等しい。また、各保持部５２の先端（上端）の上下方向の位置は、筒状部４３の先端（上端）の上下方向の位置と等しく、各保持部５２の先端面は筒状部４３の先端面と同一平面内に位置する。
【００２５】
各保持部５２の先端部には、各保持部５２の先端部における内径を小さくするように各保持部５２の径方向内側に突出した保護部５３が設けられている。保護部５３は、保持部５２の周方向に沿った円環状をなしている。
【００２６】
また、支持部４２の外側面（下端面）には、各挿通孔５１における第１嵌合部４１の外側に開口した開口部を拡径するように上方に向けて凹んだ位置決め凹部５４が設けられている。３つの位置決め凹部５４は、下側から見た形状が挿通孔５１より大きい円形状をなしている。また、位置決め凹部５４は、同位置決め凹部５４の底面側に位置する挿通孔５１と同軸上に位置する。更に、各位置決め凹部５４の底面は、上下方向と直交する平面状をなしている。
【００２７】
３つの挿通孔５１のうち、中央の挿通孔５１には、第１基準端子６１が挿通されている。本実施形態の第１基準端子６１は、陽極の雌端子である。第１基準端子６１は、導電性の金属材料よりなり、本実施形態では、銅または銅合金よりなる。第１基準端子６１は、円筒状の接続部６３と、接続部６３の上端から接続部６３の軸方向に延びる複数の延出部６４と、接続部６３の外周面に設けられた位置決め部６５とを有する。
【００２８】
接続部６３の外径は、挿通孔５１の内径と等しいか僅かに小さい。また、接続部６３の軸方向の長さは、支持部４２の上下方向の厚さよりも長い。接続部６３の内周面には、雌螺子溝が形成されている。
【００２９】
本実施形態では、第１基準端子６１は、８個の延出部６４を有する。８個の延出部６４は、接続部６３の軸方向における先端の位置が等しい。周方向に隣り合う延出部６４同士は接続部６３の周方向に隙間が生じるように形成されている。各延出部６４の先端部には、接点部６６が設けられている。各延出部６４において、接点部６６は、延出部６４の先端部から径方向内側に突出している。また、各接点部６６は、接続部６３の周方向に沿った突条をなしている。複数の接点部６６は、接続部６３の軸方向における位置が等しい。
【００３０】
位置決め部６５は、接続部６３における軸方向の中央よりもやや延出部６４寄りの部位から径方向外側に延出しており、円環状の鍔状をなしている。位置決め部６５の外径は、位置決め凹部５４の内径と等しいか若干小さい。また、位置決め部６５の軸方向の幅は、位置決め凹部５４の深さ、即ち位置決め凹部５４の上下方向の幅と等しい。
【００３１】
このような第１基準端子６１は、中央の挿通孔５１に第１嵌合部４１の下端側から挿入されている。また、第１基準端子６１は、延出部６４の先端側から中央の挿通孔５１に挿入されるとともに、中央の位置決め凹部５４の底面に位置決め部６５が下方から当接するまで挿入されている。そして、第１基準端子６１は、複数の延出部６４が中央の保持部５２の内側に配置されるとともに、位置決め部６５が位置決め凹部５４内に配置された状態で、第１嵌合部４１にて保持されている。また、第１基準端子６１は、当該第１基準端子６１の中心軸線Ｌ２が、第１嵌合部４１の中心線Ｌ１と一致するように同第１嵌合部４１にて保持されている。なお、同第１基準端子６１の接続部６３の下端側の部分（即ち、接続部６３における位置決め部６５よりも下側の部分）は、第１嵌合部４１の外部に突出している。また、第１嵌合部４１に保持された第１基準端子６１の複数の延出部６４の先端面は、保護部５３と上下方向に対向する。
【００３２】
また、３つの挿通孔５１のうち、中央の挿通孔５１の左側に位置する挿通孔５１には、第１端子６２ａが挿通されるとともに、中央の挿通孔５１の右側に位置する挿通孔５１には、第１端子６２ｂが挿通されている。第１端子６２ａ，６２ｂは、陰極の雌端子である。第１端子６２ａ，６２ｂは、何れも第１基準端子６１と同じ形状であるとともに、第１基準端子６１と同じ材料よりなる。即ち、第１端子６２ａ，６２ｂは、それぞれ接続部６３、８個の延出部６４、及び位置決め部６５を有する。
【００３３】
そして、第１端子６２ａは、中央の挿通孔５１の左側に位置する挿通孔５１に第１嵌合部４１の下端側から挿入されることにより、第１基準端子６１と同様に第１嵌合部４１にて保持されている。即ち、第１端子６２ａは、当該第１端子６２ａの中心軸線Ｌ３が、第１嵌合部４１の中心線Ｌ１と平行をなすように同第１嵌合部４１にて保持されている。そのため、第１端子６２ａの中心軸線Ｌ３は、第１基準端子６１の中心軸線Ｌ２と平行をなす。
【００３４】
また、第１端子６２ｂは、中央の挿通孔５１の右側に位置する挿通孔５１に第１嵌合部４１の下端側から挿入されることにより、第１基準端子６１と同様に第１嵌合部４１にて保持されている。即ち、第１端子６２ｂは、当該第１端子６２ｂの中心軸線Ｌ４が、第１嵌合部４１の中心線Ｌ１と平行をなすように同第１嵌合部４１にて保持されている。そのため、第１端子６２ｂの中心軸線Ｌ４は、第１基準端子６１の中心軸線Ｌ２と平行をなす。
【００３５】
第１嵌合部４１に保持された２つの第１端子６２ａ，６２ｂは、第１基準端子６１を左右方向の両側から挟むように配置されている。更に、第１嵌合部４１に保持された第１基準端子６１と２つの第１端子６２ａ，６２ｂとは、上下方向から見て、支持部４２の前後方向の中央を通り左右方向に延びる支持部４２の中心線（図示略）上で一直線に並んでいる。そして、第１基準端子６１と左の第１端子６２ａとの間の間隔Ｄ３（即ち、第１基準端子６１の中心軸線Ｌ２と第１端子６２ａの中心軸線Ｌ３との間の距離）と、第１基準端子６１と右の第１端子６２ｂとの間の間隔Ｄ４（即ち、第１基準端子６１の中心軸線Ｌ２と第１端子６２ｂの中心軸線Ｌ４との間の距離）とは等しい。
【００３６】
本実施形態では、第１嵌合部４１、第１基準端子６１、及び第１端子６２ａ，６２ｂは、第１嵌合部４１の中心線Ｌ１を対称軸として２回の回転対称な形状をなしている。即ち、第１基準端子６１及び第１端子６２ａ，６２ｂを保持した第１嵌合部４１は、中心線Ｌ１回りに１８０°回転させるごとに同じ姿勢となる。
【００３７】
バックリテーナ３２は、第１嵌合部４１の下端部に固定されている。バックリテーナ３２は、支持部４２の外形より一回り大きい外形を有する平板状の被覆部７１と、被覆部７１の外周縁部に立設された側壁部７２とを備えた皿状をなしている。
【００３８】
被覆部７１は、下側から見た外形が左右方向に長いトラック（競走路）形状をなしている。被覆部７１には、第１嵌合部４１に設けられた挿通孔５１と同数の３つの貫通孔７３が設けられている。各貫通孔７３は、被覆部７１を上下方向に貫通するとともに、上側から見た形状が円形状をなしている。そして、各貫通孔７３の内径は、位置決め部６５の外径より小さく、本実施形態では、挿通孔５１の内径と等しい。また、３つの貫通孔７３は、被覆部７１の前後方向の中央を通り左右方向に延びる被覆部７１の中心線（図示略）上で一直線に並んでいる。更に、中央の貫通孔７３の径方向の中心は、被覆部７１の前後方向の中央、且つ、被覆部７１の左右方向の中央に位置する。また、中央の貫通孔７３と左の貫通孔７３との間の間隔は、第１嵌合部４１における中央の挿通孔５１と左の挿通孔５１との間の間隔Ｄ１と等しい。更に、中央の貫通孔７３と右の貫通孔７３との間の間隔は、中央の挿通孔５１と右の挿通孔５１との間の間隔Ｄ２と等しい。
【００３９】
側壁部７２の内周面は、支持部４２の外周面に対応した略筒状をなしている。側壁部７２の左右方向の両端部には、固定爪７４がそれぞれ設けられている。各固定爪７４は、側壁部７２の先端から基端に延び且つ側壁部７２を左右方向に貫通する一対の溝を設けることにより部分的に側壁部７２から分離された部分である。各固定爪７４は、左右方向に貫通した係止孔７５を有する。各固定爪７４は、その先端が基端に対して左右方向にずれるように弾性変形可能である。
【００４０】
バックリテーナ３２は、側壁部７２の内側に第１嵌合部４１の下端部（即ち支持部４２の下端部）が挿入されるとともに、２つの固定爪７４の係止孔７５に固定凸部４９が係合される（嵌る）ことにより、第１嵌合部４１の下端部に固定されている。そして、第１嵌合部４１の下面（即ち支持部４２の外側面）は、被覆部７１の内側面に当接している。また、３つの貫通孔７３は、３つの挿通孔５１と上下方向に並ぶとともに、上下方向に並ぶ貫通孔７３と挿通孔５１とは、同軸上に位置する。
【００４１】
そして、第１基準端子６１の接続部６３は、中央の貫通孔７３を通って第１ハウジング３０の外部に突出している。また、第１基準端子６１の位置決め部６５は、中央の位置決め凹部５４の底面と被覆部７１の内側面とによって第１ハウジング３０に対して第１嵌合部４１の中心線Ｌ１方向の位置決めがなされている。なお、第１ハウジング３０の外部に突出した接続部６３には、インバータに接続される図示しない電線が電気的に接続される。
【００４２】
同様に、第１端子６２ａの接続部６３は、中央の貫通孔７３の左側に位置する貫通孔７３を通って第１ハウジング３０の外部に突出している。また、第１端子６２ａの位置決め部６５は、中央の位置決め凹部５４の左側に位置する位置決め凹部５４の底面と被覆部７１の内側面とによって第１ハウジング３０に対して第１嵌合部４１の中心線Ｌ１方向の位置決めがなされている。また、第１端子６２ｂの接続部６３は、中央の貫通孔７３の右側に位置する貫通孔７３を通って第１ハウジング３０の外部に突出している。また、第１端子６２ｂの位置決め部６５は、中央の位置決め凹部５４の右側に位置する位置決め凹部５４の底面と被覆部７１の内側面とによって第１ハウジング３０に対して第１嵌合部４１の中心線Ｌ１方向の位置決めがなされている。
【００４３】
第１端子６２ａ，６２ｂの接続部６３には、第１コネクタ側分流部材８１が電気的に接続されている。第１コネクタ側分流部材８１は導電性材料よりなる。本実施形態の第１コネクタ側分流部材８１は、銅または銅合金よりなる板材にプレス加工を施して形成されている。第１コネクタ側分流部材８１は、分流部８２と、分流部８２から延びる２つの端子接続部８３，８４と、同じく分流部８２から延びる電線接続部８５とを有する。
【００４４】
分流部８２は、上下方向と直交する平板状をなすとともに、左右方向に延びる帯状をなしている。端子接続部８３，８４は、分流部８２の左右方向の両端部から前方に延出するとともに、上下方向と直交する四角形の平板状をなしている。端子接続部８３と端子接続部８４とは、同じ形状をなしており、前後方向の長さ（即ち分流部８２からの延出方向の長さ）が等しい。端子接続部８３，８４には、端子接続部８３，８４を上下方向に貫通する接続孔８６，８７が形成されている。また、電線接続部８５は、分流部８２の左右方向の中央から下方に延びるとともに、前後方向と直交する平板状の帯状をなしている。
【００４５】
第１コネクタ側分流部材８１は、接続孔８６を下方から貫通したボルト９１が第１端子６２ａの接続部６３に螺合されることにより、端子接続部８３において第１端子６２ａと電気的に接続されている。また、第１コネクタ側分流部材８１は、接続孔８７を下方から貫通したボルト９２が第１端子６２ｂの接続部６３に螺合されることにより、端子接続部８４において第１端子６２ｂと電気的に接続されている。これにより、第１端子６２ａと第１端子６２ｂとは第１コネクタ側分流部材８１によって短絡されている。更に、電線接続部８５の下端部には、インバータに接続される図示しない電線が電気的に接続される。電線接続部８５において、電線が接続される部位を接続部８８とする。なお、第１コネクタ側分流部材８１において、分流部８２は、第１基準端子６１の接続部６３よりも後方側（図１において紙面奥側）に位置する。そのため、第１コネクタ側分流部材８１は、第１基準端子６１と干渉しない。
【００４６】
この第１コネクタ側分流部材８１では、電線接続部８５は、分流部８２の左右方向の中央に一体に設けられている。更に、端子接続部８３と端子接続部８４とは、同じ形状をなしており、前後方向の長さが等しい。そのため、接続部８８から電線接続部８５を通って分流部８２の左半分を通った後に端子接続部８３を通って第１端子６２ａが接続される接続孔８６に至る電流経路と、接続部８８から電線接続部８５を通って分流部８２の右半分を通った後に端子接続部８４を通って第１端子６２ｂが接続される接続孔８７に至る電流経路とは、長さが等しい。
【００４７】
図１及び図３に示すように、第２コネクタ２２は、第２ハウジング１００と、１つの第２基準端子１３１と、２つの第２端子１３２ａ，１３２ｂと、第２コネクタ側分流部材１５１とを有する。
【００４８】
第２ハウジング１００は、ハウジング本体１０１と、ハウジング本体１０１に組み付けられるバックリテーナ１０２とを有する。ハウジング本体１０１及びバックリテーナ１０２は、絶縁性の樹脂材料よりなる。なお、第２コネクタ２２の説明をするにあたって、第１コネクタ２１に対する第２コネクタ２２の接続方向Ｚ１（第１コネクタ２１に第２コネクタ２２を接続する際に、第１コネクタ２１に対して第２コネクタ２２が移動される方向）を下方とする。但し、接続方向Ｚ１は、第１コネクタ２１の姿勢に応じて変わるものである。そして、以下、第１コネクタ２１の説明時と同様に、Ｘ方向を前方向、Ｙ方向を左方向、Ｚ方向を下方向として説明する。
【００４９】
ハウジング本体１０１は、有底筒状の第２嵌合部１１１を有する。第２嵌合部１１１は、平板状の支持部１１２と、支持部１１２の外周縁部に立設された筒状部１１３とを有する。
【００５０】
支持部１１２は、上下方向と直交する平板状をなすとともに、上側から見た外形が左右方向に長いトラック（競走路）形状をなしている。
筒状部１１３は、支持部１１２の外周縁から下方に延びている。筒状部１１３は、支持部１１２の外周縁において支持部１１２の前後方向の両端の直線状をなす部分から下方に延びる平板部１１４と、支持部１１２の外周縁において左右方向の両端の円弧状をなす部分から下方に延びる円弧部１１５とを有する。一対の平板部１１４は、それぞれ前後方向と直交する四角形の平板状をなしている。また、円弧部１１５は、平板部１１４と同じ厚さに形成されている。そして、筒状部１１３は、上側から見た形状が支持部１１２と同様に左右方向に長いトラック（競走路）形状をなしている。また、筒状部１１３の内周面は、第１ハウジング３０の筒状部４３の外周面に応じた形状をなしている。更に、筒状部１１３の上下方向の長さは、第１ハウジング３０の筒状部４３における固定部４６よりも上側の部分の上下方向の長さより長い。
【００５１】
また、ハウジング本体１０１は、第２嵌合部１１１の外周面から鍔状に延出された固定部１１６を有する。固定部１１６は、筒状部１１３の上下方向の略中央部における外周面から外側に延出されるとともに、環状をなしている。また、固定部１１６は、互いに離れた複数箇所（本実施形態では６箇所）に固定孔１１７を有する。本実施形態では、固定孔１１７は、固定部１１６において、第２嵌合部１１１の前後方向の両側に２つずつ、左右方向の両側に１つずつ設けられている。各固定孔１１７は、固定部１１６を上下方向に貫通するとともに、各固定孔１１７の内周面には、円筒状をなす金属製のカラー１１８が装着されている。
【００５２】
第２コネクタ２２は、ハウジング本体１０１が固定部１１６においてバッテリ１１のケース１２に固定されることにより、バッテリ１１に対して固定される。具体的には、ケース１２における第２コネクタ２２を固定する場所（例えば、ケース１２の底部）には、装着孔１２ａが設けられている。そして、ケース１２における装着孔１２ａの外周部分に固定部１１６がケース１２の内側から重ね合わされるとともに、各固定孔１１７、即ちカラー１１８に挿通された図示しないボルト及びナットによってケース１２における装着孔１２ａの外周部分と固定部１１６とが固定されることにより、第２コネクタ２２はケース１２に固定される。
【００５３】
また、ハウジング本体１０１は、第２嵌合部１１１の外周面から突出した２つの固定凸部１１９を有する。各固定凸部１１９は、第２嵌合部１１１において固定部１１６よりも上方に位置している。そして、各固定凸部１１９は、支持部１１２の左右方向の両端部における外周面から左右方向の外側に突出している。
【００５４】
また、第２嵌合部１１１は、支持部１１２に複数の挿通孔１２１を有する。本実施形態では、挿通孔１２１は、支持部１１２に３個設けられている。各挿通孔１２１は、支持部１１２を上下方向に貫通するとともに、上側から見た形状が円形状をなしている。そして、各挿通孔１２１の内径は互いに等しい。また、３つの挿通孔１２１は、支持部１１２の前後方向の中央を通り左右方向に延びる支持部１１２の中心線（図示略）上で一直線に並んでいる。更に、中央の挿通孔１２１の径方向の中心は、第２嵌合部１１１の中心線Ｌ１１上に位置する。なお、第２嵌合部１１１の中心線Ｌ１１は、第２嵌合部１１１の前後方向の中央及び第２嵌合部１１１の左右方向の中央を通り上下方向に延びる直線である。また、中央の挿通孔１２１と左の挿通孔１２１との間の間隔Ｄ１１と、中央の挿通孔１２１と右の挿通孔１２１との間の間隔Ｄ１２とは等しい。更に、間隔Ｄ１１は、第１嵌合部４１における中央の挿通孔５１と左の挿通孔５１との間の間隔Ｄ１と等しく、間隔Ｄ１２は、第１嵌合部４１における中央の挿通孔５１と右の挿通孔５１との間の間隔Ｄ２と等しい。
【００５５】
また、支持部４２の外側面（上端面）には、各挿通孔１２１における第２嵌合部１１１の外側に開口した開口部を拡径するように下方に向けて凹んだ位置決め凹部１２２が設けられている。３つの位置決め凹部１２２は、上側から見た形状が挿通孔１２１より大きい円形状をなしている。また、位置決め凹部１２２は、同位置決め凹部１２２の底面側に位置する挿通孔１２１と同軸上に位置する。更に、各位置決め凹部１２２の底面は、上下方向と直交する平面状をなしている。
【００５６】
３つの挿通孔１２１のうち、中央の挿通孔１２１には、第２基準端子１３１が挿通されている。本実施形態の第２基準端子１３１は、陽極の雄端子である。第２基準端子１３１は、導電性の金属材料よりなり、本実施形態では、銅または銅合金よりなる。第２基準端子１３１は、円柱状の端子本体１３３と、端子本体１３３の上端に一体に設けられた円板状の位置決め部１３４と、位置決め部１３４から端子本体１３３の軸方向に沿って上方に延びる円筒状の接続部１３５とを有する。
【００５７】
端子本体１３３の軸方向の長さは、第２嵌合部１１１の上下方向の長さより短い。また、端子本体１３３の外径は、挿通孔１２１の内径と等しいか僅かに小さい。更に、端子本体１３３の外径は、第１基準端子６１に嵌入可能な大きさであって、保持部５２の先端部における保護部５３の内径と等しいか僅かに小さい。端子本体１３３の先端部（下端部）には、軸方向から螺子１３６が螺合されている。
【００５８】
位置決め部１３４は、端子本体１３３と同軸上に位置する。位置決め部１３４の外径は、端子本体１３３の外径より大きく、且つ位置決め凹部１２２の内径と等しいか若干小さい。そのため、位置決め部１３４は、端子本体１３３に対して径方向外側に鍔状に突出している。また、位置決め部１３４の軸方向の幅は、位置決め凹部１２２の深さ、即ち位置決め凹部１２２の上下方向の幅と等しい。
【００５９】
接続部１３５は、端子本体１３３及び位置決め部１３４と同軸上に位置する。接続部１３５の外径は、端子本体１３３の外径より大きく、且つ位置決め部１３４の外径より小さい。接続部１３５の内周面には、雌螺子溝が形成されている。
【００６０】
このような第２基準端子１３１は、中央の挿通孔１２１に第２嵌合部１１１の上端側から挿入されている。また、第２基準端子１３１は、端子本体１３３の先端側から中央の挿通孔１２１に挿入されるとともに、中央の位置決め凹部１２２の底面に位置決め部１３４が上方から当接するまで挿入されている。そして、第２基準端子１３１は、端子本体１３３が筒状部１１３の内側に配置されるとともに、位置決め部１３４が位置決め凹部１２２内に配置された状態で、第２嵌合部１１１にて保持されている。更に、第２基準端子１３１は、当該第２基準端子１３１の中心軸線Ｌ１２が、第２嵌合部１１１の中心線Ｌ１１と一致するように同第２嵌合部１１１にて保持されている。なお、同第２基準端子１３１の接続部１３５は、第２嵌合部１１１の外部に突出している。
【００６１】
また、３つの挿通孔１２１のうち、中央の挿通孔１２１の左側に位置する挿通孔１２１には、第２端子１３２ａが挿通されるとともに、中央の挿通孔１２１の右側に位置する挿通孔１２１には、第２端子１３２ｂが挿通されている。第２端子１３２ａ，１３２ｂは、陰極の雄端子である。第２端子１３２ａ，１３２ｂは、何れも第２基準端子１３１と同じ形状であるとともに、第２基準端子１３１と同じ材料よりなる。即ち、第２端子１３２ａ，１３２ｂは、それぞれ端子本体１３３、位置決め部１３４、及び接続部１３５を有するとともに、端子本体１３３の先端部に螺子１３６が螺合されている。
【００６２】
そして、第２端子１３２ａは、中央の挿通孔１２１の左側に位置する挿通孔１２１に第２嵌合部１１１の上端側から挿入されることにより、第２基準端子１３１と同様に第２嵌合部１１１にて保持されている。即ち、第２端子１３２ａは、当該第２端子１３２ａの中心軸線Ｌ１３が、第２嵌合部１１１の中心線Ｌ１１と平行をなすように同第２嵌合部１１１にて保持されている。そのため、第２端子１３２ａの中心軸線Ｌ１３は、第２基準端子１３１の中心軸線Ｌ１２と平行をなす。
【００６３】
また、第２端子１３２ｂは、中央の挿通孔１２１の右側に位置する挿通孔１２１に第２嵌合部１１１の上端側から挿入されることにより、第２基準端子１３１と同様に第２嵌合部１１１にて保持されている。即ち、第２端子１３２ｂは、当該第２端子１３２ｂの中心軸線Ｌ１４が、第２嵌合部１１１の中心線Ｌ１１と平行をなすように同第２嵌合部１１１にて保持されている。そのため、第２端子１３２ｂの中心軸線Ｌ１４は、第２基準端子１３１の中心軸線Ｌ１２と平行をなす。
【００６４】
第２嵌合部１１１に保持された２つの第２端子１３２ａ，１３２ｂは、第２基準端子１３１を左右方向の両側から挟むように配置されている。更に、第２嵌合部１１１に保持された第２基準端子１３１と２つの第２端子１３２ａ，１３２ｂとは、上下方向から見て、支持部１１２の前後方向の中央を通り左右方向に延びる支持部１１２の中心線（図示略）上で一直線に並んでいる。そして、第２基準端子１３１と左の第２端子１３２ａとの間の間隔Ｄ１３（即ち、第２基準端子１３１の中心軸線Ｌ１２と第２端子１３２ａの中心軸線Ｌ１３との間の距離）と、第２基準端子１３１と右の第２端子１３２ｂとの間の間隔Ｄ１４（即ち、第２基準端子１３１の中心軸線Ｌ１２と第２端子１３２ｂの中心軸線Ｌ１４との間の距離）とは等しい。更に、間隔Ｄ１３は、第１基準端子６１と左の第１端子６２ａとの間の間隔Ｄ３、及び第１基準端子６１と右の第１端子６２ｂとの間の間隔Ｄ４と等しい。また、間隔Ｄ１４は、第１基準端子６１と左の第１端子６２ａとの間の間隔Ｄ３、及び第１基準端子６１と右の第１端子６２ｂとの間の間隔Ｄ４と等しい。
【００６５】
また、第２嵌合部１１１に保持された第２基準端子１３１及び第２端子１３２ａ，１３２ｂの先端は、筒状部１１３の先端（下端）よりも上方に位置する。更に、第２基準端子１３１及び第２端子１３２ａ，１３２ｂの先端部にそれぞれ螺合された螺子１３６の下端面（螺子１３６の頭部におけるねじ先と反対側の端面）は、筒状部１１３の先端面と同一平面内に位置する。
【００６６】
本実施形態では、第２嵌合部１１１、第２基準端子１３１、及び第２端子１３２ａ，１３２ｂは、第２嵌合部１１１の中心線Ｌ１１を対称軸として２回の回転対称な形状をなしている。即ち、第２基準端子１３１及び第２端子１３２ａ，１３２ｂを保持した第２嵌合部１１１は、中心線Ｌ１１回りに１８０°回転させるごとに同じ姿勢となる。
【００６７】
バックリテーナ１０２は、第２嵌合部１１１の上端部に固定されている。バックリテーナ１０２は、支持部１１２の外形より一回り大きい外形を有する平板状の被覆部１４１と、被覆部１４１の外周縁部に立設された側壁部１４２とを備えた皿状をなしている。
【００６８】
被覆部１４１は、下側から見た外形が左右方向に長いトラック（競走路）形状をなしている。被覆部１４１には、第２嵌合部１１１に設けられた挿通孔１２１と同数の３つの貫通孔１４３が設けられている。各貫通孔１４３は、被覆部１４１を上下方向に貫通するとともに、上側から見た形状が円形状をなしている。そして、各貫通孔１４３の内径は、位置決め部１３４の外径より小さく、本実施形態では、接続部１３５の外径と等しいか若干大きい。また、３つの貫通孔１４３は、被覆部１４１の前後方向の中央を通り左右方向に延びる被覆部１４１の中心線（図示略）上で一直線に並んでいる。更に、中央の貫通孔１４３の径方向の中心は、被覆部１４１の前後方向の中央、且つ、被覆部１４１の左右方向の中央に位置する。また、中央の貫通孔１４３と左の貫通孔１４３との間の間隔は、第２嵌合部１１１における中央の挿通孔１２１と左の挿通孔１２１との間の間隔Ｄ１１と等しい。更に、中央の貫通孔１４３と右の貫通孔１４３との間の間隔は、中央の挿通孔１２１と右の挿通孔１２１との間の間隔Ｄ１２と等しい。
【００６９】
側壁部１４２の内周面は、支持部１１２の外周面に対応した略筒状をなしている。側壁部１４２の左右方向の両端部には、固定爪１４４がそれぞれ設けられている。各固定爪１４４は、側壁部１４２の先端から基端に延び且つ側壁部１４２を左右方向に貫通する一対の溝を設けることにより部分的に側壁部１４２から分離された部分である。各固定爪１４４は、左右方向に貫通した係止孔１４５を有する。各固定爪１４４は、その先端が基端に対して左右方向にずれるように弾性変形可能である。
【００７０】
バックリテーナ１０２は、側壁部１４２の内側に第２嵌合部１１１の上端部（即ち支持部１１２の上端部）が挿入されるとともに、２つの固定爪１４４の係止孔１４５に固定凸部１１９が係合される（嵌る）ことにより、第２嵌合部１１１の上端部に固定されている。そして、第２嵌合部１１１の上面（即ち支持部１１２の外側面）は、被覆部１４１の内側面に当接している。また、３つの貫通孔１４３は、３つの挿通孔１２１と上下方向に並ぶとともに、上下方向に並ぶ貫通孔１４３と挿通孔１２１とは、同軸上に位置する。
【００７１】
そして、第２基準端子１３１の接続部１３５は、中央の貫通孔１４３を通って第２ハウジング１００の外部に突出している。また、第２基準端子１３１の位置決め部１３４は、中央の位置決め凹部１２２の底面と被覆部１４１の内側面とによって第２ハウジング１００に対して第２嵌合部１１１の中心線Ｌ１１方向の位置決めがなされている。なお、第２ハウジング１００の外部に突出した接続部１３５には、バッテリ１１に接続される図示しない電線が電気的に接続される。
【００７２】
同様に、第２端子１３２ａの接続部１３５は、中央の貫通孔１４３の左側に位置する貫通孔１４３を通って第２ハウジング１００の外部に突出している。また、第２端子１３２ａの位置決め部１３４は、中央の位置決め凹部１２２の左側に位置する位置決め凹部１２２の底面と被覆部１４１の内側面とによって第２ハウジング１００に対して第２嵌合部１１１の中心線Ｌ１１方向の位置決めがなされている。また、第２端子１３２ｂの接続部１３５は、中央の貫通孔１４３の右側に位置する貫通孔１４３を通って第２ハウジング１００の外部に突出している。また、第２端子１３２ｂの位置決め部１３４は、中央の位置決め凹部１２２の右側に位置する位置決め凹部１２２の底面と被覆部１４１の内側面とによって第２ハウジング１００に対して第２嵌合部１１１の中心線Ｌ１１方向の位置決めがなされている。
【００７３】
第２端子１３２ａ，１３２ｂの接続部１３５には、第２コネクタ側分流部材１５１が電気的に接続されている。第２コネクタ側分流部材１５１は、導電性材料よりなる。本実施形態の第１コネクタ側分流部材８１は、銅または銅合金よりなる板材にプレス加工を施して形成されている。第２コネクタ側分流部材１５１は、分流部１５２と、分流部１５２から延びる２つの端子接続部１５３，１５４と、同じく分流部１５２から延びる電線接続部１５５とを有する。
【００７４】
分流部１５２は、上下方向と直交する平板状をなすとともに、左右方向に延びる帯状をなしている。端子接続部１５３，１５４は、分流部１５２の左右方向の両端部から前方に延出するとともに、上下方向と直交する四角形の平板状をなしている。端子接続部１５３と端子接続部１５４とは、同じ形状をなしており、前後方向の長さ（即ち分流部１５２からの延出方向の長さ）が等しい。端子接続部１５３，１５４には、端子接続部１５３，１５４を上下方向に貫通する接続孔１５６，１５７が形成されている。また、電線接続部１５５は、分流部１５２の左右方向の中央から上方に延びるとともに、前後方向と直交する平板状の帯状をなしている。
【００７５】
第２コネクタ側分流部材１５１は、接続孔１５６を上方から貫通したボルト１６１が第２端子１３２ａの接続部１３５に螺合されることにより、端子接続部１５３において第２端子１３２ａと電気的に接続されている。また、第２コネクタ側分流部材１５１は、接続孔１５７を上方から貫通したボルト１６２が第２端子１３２ｂの接続部１３５に螺合されることにより、端子接続部１５４において第２端子１３２ｂと電気的に接続されている。これにより、第２端子１３２ａと第２端子１３２ｂとは第２コネクタ側分流部材１５１によって短絡されている。更に、電線接続部１５５の下端部には、バッテリ１１に接続される図示しない電線が電気的に接続される。電線接続部１５５において、電線が接続される部位を接続部１５８とする。なお、第２コネクタ側分流部材１５１において、分流部１５２は、第２基準端子１３１の接続部１３５よりも後方側（図１において紙面奥側）に位置する。そのため、第２コネクタ側分流部材１５１は、第２基準端子１３１と干渉しない。
【００７６】
この第２コネクタ側分流部材１５１では、電線接続部１５５は、分流部１５２の左右方向の中央に一体に設けられている。更に、端子接続部１５３と端子接続部１５４とは、同じ形状をなしており、前後方向の長さが等しい。そのため、接続部１５８から電線接続部１５５を通って分流部１５２の左半分を通った後に端子接続部１５３を通って第２端子１３２ａが接続される接続孔１５６に至る電流経路と、接続部１５８から電線接続部１５５を通って分流部１５２の右半分を通った後に端子接続部１５４を通って第２端子１３２ｂが接続される接続孔１５７に至る電流経路とは、長さが等しい。
【００７７】
図４（ａ）に示すように、上記のように構成された本実施形態のコネクタ装置２０では、第１コネクタ２１においては、接続方向Ｚ１から見て（本実施形態では、上側から下方を見て）、各第１端子６２ａ，６２ｂは、第１基準端子６１との間の間隔Ｄ３，Ｄ４が等しい。更に、第１コネクタ２１においては、第１端子６２ａ，６２ｂは、接続方向Ｚ１から見て、第１基準端子６１を中心として２回の回転対称となるように配置されている。
【００７８】
また、図４（ｂ）に示すように、第２コネクタ２２においては、接続方向Ｚ１から見て、各第２端子１３２ａ，１３２ｂと第２基準端子１３１との間の間隔Ｄ１３，Ｄ１４は、各第１端子６２ａ，６２ｂと第１基準端子６１との間の間隔Ｄ３，Ｄ４と等しい。更に、第２コネクタ２２においては、第２端子１３２ａ，１３２ｂは、接続方向Ｚ１から見て、第２基準端子１３１を中心として２回の回転対称となるように配置されている。
【００７９】
本実施形態の作用について説明する。
図４（ａ）及び図４（ｂ）に示すように、第２基準端子１３１が第１基準端子６１と接続方向Ｚ１に対向するように第１コネクタ２１と第２コネクタ２２とが対向された状態では、第２端子１３２ａは第１端子６２ａと接続方向Ｚ１に対向し、且つ、第２端子１３２ｂは第１端子６２ｂと接続方向Ｚ１に対向することができる。この状態で、第２コネクタ２２を接続方向Ｚ１に移動させて第１コネクタ２１に接続すると、第２基準端子１３１が第１基準端子６１に挿入されて電気的に接続されると同時に、第２端子１３２ａが第１端子６２ａに挿入されて電気的に接続され、更に第２端子１３２ｂが第１端子６２ｂに挿入されて電気的に接続される。
【００８０】
図４（ｃ）に示す第２コネクタ２２は、図４（ｂ）に示した状態の第２コネクタ２２を、第２基準端子１３１を中心に接続方向Ｚ１に延びる軸線回り（即ち、中心線Ｌ１１回り、もしくは中心軸線Ｌ１２回り）に１８０°回転させたものである。図４（ａ）及び図４（ｃ）に示すように、この第２コネクタ２２と第１コネクタ２１とを第２基準端子１３１が第１基準端子６１と接続方向Ｚ１に対向するように対向させた場合、第２端子１３２ａは第１端子６２ｂと接続方向Ｚ１に対向し、且つ、第２端子１３２ｂは第１端子６２ａと接続方向Ｚ１に対向することができる。この状態で、第２コネクタ２２を接続方向Ｚ１に移動させて第１コネクタ２１に接続すると、第２基準端子１３１が第１基準端子６１に挿入されて電気的に接続されると同時に、第２端子１３２ａが第１端子６２ｂに挿入されて電気的に接続され、更に第２端子１３２ｂが第１端子６２ａに挿入されて電気的に接続される。
【００８１】
例えば、バッテリ１１のケース１２の形状が、接続方向Ｚ１から見て長方形状をなす場合、車体１３に設けられた図示しないバッテリ収容部は、ケース１２の外形に応じた断面長方形状の凹部とされる。この場合、バッテリ１１は、バッテリ収容部に挿入可能となる姿勢から、バッテリ収容部の凹設方向に延びる軸線回りに１８０°回転させた姿勢でもバッテリ収容部に挿入可能である。このようなバッテリ１１を車体１３側と電気的に接続するために本実施形態のコネクタ装置２０を用いると、バッテリ１１をバッテリ収容部に挿入可能な何れの姿勢で同バッテリ１１をバッテリ収容部に挿入したとしても、コネクタ装置２０を介して同バッテリ１１を車体１３側に電気的に接続することができる。
【００８２】
本実施形態の効果について説明する。
（１−１）第１コネクタ２１と第２コネクタ２２との接続方向Ｚ１から見て、２つの第１端子６２ａ，６２ｂは、第１基準端子６１を中心として回転対称となるように配置されている。また、各第２端子１３２ａ，１３２ｂは、第２基準端子１３１が第１基準端子６１と接続方向Ｚ１に対向されたときに２つの第１端子６２ａ，６２ｂのうちの何れかと接続方向Ｚ１に対向可能である。
【００８３】
そのため、接続方向Ｚ１に第１基準端子６１と第２基準端子１３１とを対向させた状態で、接続方向Ｚ１に延びる軸線回りに第２基準端子１３１を中心として第１コネクタ２１に対して第２コネクタ２２を回転させると、２つの第１端子６２ａ，６２ｂの位置に応じて所定の角度ごと（本実施形態では１８０°ごと）に第２端子１３２ａ，１３２ｂを第１端子６２ａ，６２ｂに接続可能となる。即ち、同状態で、接続方向Ｚ１に延びる軸線回りに第２基準端子１３１を中心として第１コネクタ２１に対して第２コネクタ２２を回転させると、２つの第１端子６２ａ，６２ｂの位置に応じて所定の角度ごと（本実施形態では１８０°ごと）に第２コネクタ２２を第１コネクタ２１に接続可能となる。その結果、第１コネクタ２１と第２コネクタ２２との接続が可能な、第１コネクタ２１と第２コネクタ２２との接続方向Ｚ１に延びる軸線回りの第１コネクタ２１と第２コネクタ２２との相対回転位置を増やすことができる。
【００８４】
（１−２）２つの第１端子６２ａ，６２ｂは、当該２つの第１端子６２ａ，６２ｂの間に第１基準端子６１を挟むように配置されており、接続方向Ｚ１から見て、当該２つの第１端子６２ａ，６２ｂと第１基準端子６１とが一直線上に並んでいる。そのため、接続方向Ｚ１に第１基準端子６１と第２基準端子１３１とを対向させた状態で、接続方向Ｚ１に延びる軸線回りに第２基準端子１３１を中心として第１コネクタ２１に対して第２コネクタ２２を１８０°回転させるごとに、第２端子１３２ａ，１３２ｂを第１端子６２ａ，６２ｂに接続可能とすることができる。即ち、同状態で、接続方向Ｚ１に延びる軸線回りに第２基準端子１３１を中心として第１コネクタ２１に対して第２コネクタ２２を１８０°回転させるごとに、第２コネクタ２２を第１コネクタ２１に接続可能とすることができる。
【００８５】
（１−３）第２コネクタ２２は、第１端子６２ａ，６２ｂと同数の第２端子１３２ａ，１３２ｂと、複数の第２端子１３２ａ，１３２ｂを互いに短絡する第２コネクタ側分流部材１５１とを有する。そのため、第１コネクタ２１と第２コネクタ２２とが接続された状態において、全ての第１端子６２ａ，６２ｂに通電されることになる。即ち、同状態において、通電されない状態になることがある第１端子がなくなる。従って、第１コネクタ側分流部材８１を介して供給される電流は、第１コネクタ側分流部材８１に接続されている２つの第１端子６２ａ，６２ｂに常に分流されることになるため、第１コネクタ側分流部材８１に接続されている２つの第１端子６２ａ，６２ｂの各々に供給される電流の最大値を小さく抑えることができる。その結果、第１コネクタ側分流部材８１に接続されている第１端子６２ａ，６２ｂの各々を小型化することができる。また、第１端子６２ａ，６２ｂの数よりも第２端子の数が少ない場合に比べて、各第２端子１３２ａ，１３２ｂに供給される電流の最大値を小さくすることができる。その結果、各第２端子１３２ａ，１３２ｂを小型化することができる。これらのことから、第１コネクタ２１及び第２コネクタ２２を小型化することが可能になる。
【００８６】
（１−４）第１コネクタ側分流部材８１は、電線が接続される接続部８８を有し、接続部８８から各第１端子６２ａ，６２ｂまでの電流経路の長さが等しい。そのため、第１コネクタ側分流部材８１において、接続部８８と各第１端子６２ａ，６２ｂとの間の電気抵抗を互いに等しくすることができる。その結果、接続部８８から第１コネクタ側分流部材８１に流れる電流を第１コネクタ側分流部材８１において各第１端子６２ａ，６２ｂに等分に分けることができるため、各第１端子６２ａ，６２ｂを流れる電流の大きさにばらつきが出ることを抑制できる。
【００８７】
＜第２実施形態＞
以下、コネクタを備えたコネクタ装置の第２実施形態について説明する。なお、本実施形態において、上記実施形態と同じ構成部材又は上記実施形態と対応する構成部材については、同じ符号を付してその説明の一部又は全てを省略することがある。
【００８８】
図５に示す本実施形態のコネクタ装置２０Ａは、車体１３に固定される上記第１実施形態の第１コネクタ２１と、バッテリ１１のケース１２に固定される第２コネクタ２２Ａとを備えている。第２コネクタ２２Ａは、上記第１実施形態の第２コネクタ２２と比較すると、第２コネクタ側分流部材１５１、ボルト１６１，１６２及び第２端子１３２ｂを備えない構成である。また、第２コネクタ２２Ａが第２端子１３２ｂを備えないことに伴って、第２ハウジング１００は、第２端子１３２ｂに対して設けられる挿通孔１２１、位置決め凹部１２２、及び貫通孔１４３を備えない。そして、第２端子１３２ａの接続部１３５には、バッテリ１１に接続される図示しない電線が電気的に接続される。
【００８９】
また、第２コネクタ２２Ａにおいては、接続方向Ｚ１から見て、第２端子１３２ａと第２基準端子１３１との間の間隔Ｄ１３は、各第１端子６２ａ，６２ｂと第１基準端子６１との間の間隔Ｄ３，Ｄ４と等しい。
【００９０】
本実施形態の作用について説明する。
図６（ａ）及び図６（ｂ）に示すように、第２基準端子１３１が第１基準端子６１と接続方向Ｚ１に対向するように第１コネクタ２１と第２コネクタ２２Ａとが対向された状態では、第２端子１３２ａは第１端子６２ａと接続方向Ｚ１に対向することができる。この状態で、第２コネクタ２２Ａを接続方向Ｚ１に移動させて第１コネクタ２１に接続すると、第２基準端子１３１が第１基準端子６１に挿入されて電気的に接続されると同時に、第２端子１３２ａが第１端子６２ａに挿入されて電気的に接続さる。
【００９１】
図６（ｃ）に示す第２コネクタ２２Ａは、図６（ｂ）に示した状態の第２コネクタ２２Ａを、第２基準端子１３１を中心に接続方向Ｚ１に延びる軸線回り（即ち、中心線Ｌ１１回り、もしくは中心軸線Ｌ１２回り）に１８０°回転させたものである。図６（ａ）及び図６（ｃ）に示すように、この第２コネクタ２２Ａと第１コネクタ２１とを第２基準端子１３１が第１基準端子６１と接続方向Ｚ１に対向するように対向させた場合、第２端子１３２ａは第１端子６２ｂと接続方向Ｚ１に対向することができる。この状態で、第２コネクタ２２Ａを接続方向Ｚ１に移動させて第１コネクタ２１に接続すると、第２基準端子１３１が第１基準端子６１に挿入されて電気的に接続されると同時に、第２端子１３２ａが第１端子６２ｂに挿入されて電気的に接続される。
【００９２】
本実施形態によれば、上記第１実施形態の（１−１），（１−２），（１−４）と同様の効果を得ることができる。
上記実施形態は、以下のように変更して実施することができる。上記実施形態及び以下の変更例は、技術的に矛盾しない範囲で互いに組み合わせて実施することができる。
【００９３】
・第１コネクタ側分流部材８１の形状は上記各実施形態の形状に限らない。第１コネクタ側分流部材８１の形状を変更する場合、第１コネクタ側分流部材８１において、接続部８８から第１端子６２ａが接続される接続孔８６に至る電流経路と、接続部８８から第１端子６２ｂが接続される接続孔８７に至る電流経路とが等しい長さになるようにすると、上記第１実施形態の（１−４）と同様の効果を得ることができる。また、第１コネクタ側分流部材８１において、電線が接続される接続部８８から第１端子６２ａが接続される接続孔８６に至る電流経路と、接続部８８から第１端子６２ｂが接続される接続孔８７に至る電流経路とは、必ずしも等しい長さでなくてもよい。第２コネクタ側分流部材１５１も、上記第１実施形態の形状に限らず、同様に変更してもよい。
【００９４】
・上記各実施形態では、第１コネクタ側分流部材８１及び第２コネクタ側分流部材１５１は、何れも銅または銅合金よりなる板材から形成されている。しかしながら、第１コネクタ側分流部材８１及び第２コネクタ側分流部材１５１は、銅及び銅合金以外の導電性の金属材料よりなるものであってもよい。例えば、第１コネクタ側分流部材８１及び第２コネクタ側分流部材１５１は、アルミニウムまたはアルミニウム合金よりなるものであってもよい。また、上記各実施形態では、第１コネクタ側分流部材８１及び第２コネクタ側分流部材１５１は、何れも金属板材にプレス加工を施して形成されたものであるが、これに限らず、切削加工や鋳造等のプレス加工以外の方法で形成されたものであってもよい。また、第１コネクタ側分流部材８１及び第２コネクタ側分流部材１５１は、金属板材よりなるものに限らず、電線よりなるものであってもよい。
【００９５】
・上記各実施形態において、第１基準端子６１に対する第１端子６２ａ，６２ｂの配置位置を変更してもよい。また、第１端子６２ａ，６２ｂの数を変更してもよい。この場合、第１基準端子６１に対する第１端子６２ａ，６２ｂの配置位置や第１端子６２ａ，６２ｂの数に応じて、第２基準端子１３１に対する第２端子１３２ａ，１３２ｂの配置位置や、第２端子１３２ａ，１３２ｂの数は変更される。
【００９６】
接続方向Ｚ１から見て、複数の第１端子は、第１基準端子６１を中心として回転対称となるように配置されていればよい。そして、第２端子は、第１端子の数以下の数であるとともに、第２基準端子１３１が第１基準端子６１と接続方向Ｚ１に対向されたときに複数の第１端子のうちの何れかと接続方向Ｚ１に対向可能であればよい。
【００９７】
例えば、図７（ａ）に示す第１コネクタ２１Ａは、第１基準端子６１の周囲に４つの第１端子６２ａ〜６２ｄを有する。４つの第１端子６２ａ〜６２ｄは、接続方向Ｚ１（図７（ａ）において紙面垂直方向）から見て、周方向に９０°間隔に並ぶとともに、各第１端子６２ａ〜６２ｄと第１基準端子６１との間の間隔は互いに等しい。更に、２つの第１端子６２ａ，６２ｃは、当該２つの第１端子６２ａ，６２ｃの間に第１基準端子６１を挟むように配置されるとともに、接続方向Ｚ１から見て、当該２つの第１端子６２ａ，６２ｃと第１基準端子６１とが一直線に並んでいる。また、２つの第１端子６２ｂ，６２ｄは、当該２つの第１端子６２ｂ，６２ｄの間に第１基準端子６１を挟むように配置されるとともに、接続方向Ｚ１から見て、当該２つの第１端子６２ｂ，６２ｄと第１基準端子６１とが一直線に並んでいる。即ち、第１端子６２ａ〜６２ｄは、接続方向Ｚ１から見て、第１基準端子６１を中心として４回の回転対称となるように配置されている。また、第１端子６２ａ〜６２ｄは、第１コネクタ側分流部材８１Ａにて短絡されている。第１コネクタ側分流部材８１Ａには、図示しないインバータに接続される電線が電気的に接続されている。
【００９８】
このような第１コネクタ２１Ａに対しては、例えば、図７（ｂ）に示す第２コネクタ２２Ｂを接続することができる。第２コネクタ２２Ｂは、第２基準端子１３１の周囲に４つの第２端子１３２ａ〜１３２ｄを有する。４つの第２端子１３２ａ〜１３２ｄは、接続方向Ｚ１（図７（ｂ）において紙面垂直方向）から見て、周方向に９０°間隔に並ぶとともに、各第２端子１３２ａ〜１３２ｄと第２基準端子１３１との間の間隔は、各第１端子６２ａ〜６２ｄと第１基準端子６１との間の間隔と等しい。更に、２つの第２端子１３２ａ，１３２ｃは、当該２つの第２端子１３２ａ，１３２ｃの間に第２基準端子１３１を挟むように配置されるとともに、接続方向Ｚ１から見て、当該２つの第２端子１３２ａ，１３２ｃと第２基準端子１３１とが一直線に並んでいる。また、２つの第２端子１３２ｂ，１３２ｄは、当該２つの第２端子１３２ｂ，１３２ｄの間に第２基準端子１３１を挟むように配置されるとともに、接続方向Ｚ１から見て、当該２つの第２端子１３２ｂ，１３２ｄと第２基準端子１３１とが一直線に並んでいる。即ち、第２端子１３２ａ〜１３２ｄは、接続方向Ｚ１から見て、第２基準端子１３１を中心として４回の回転対称となるように配置されている。また、第２端子１３２ａ〜１３２ｄは、第２コネクタ側分流部材１５１Ａにて短絡されている。第２コネクタ側分流部材１５１Ａには、バッテリ１１に接続される電線が電気的に接続されている。
【００９９】
図７（ａ）及び図７（ｂ）に示すように、接続方向Ｚ１に第１基準端子６１と第２基準端子１３１とを対向させた状態で、接続方向Ｚ１に延びる軸線回りに第２基準端子１３１を中心として第１コネクタ２１Ａに対して第２コネクタ２２Ｂを９０°回転させるごとに、第２コネクタ２２Ｂと第１コネクタ２１Ａとを接続可能とすることができる。
【０１００】
また例えば、図７（ａ）に示す第１コネクタ２１Ａに対して、図７（ｃ）に示す第２コネクタ２２Ｃを接続することができる。第２コネクタ２２Ｃは、第２基準端子１３１の周囲に２つの第２端子１３２ａ，１３２ｂを有する。２つの第２端子１３２ａ，１３２ｂは、周方向に１８０°間隔に並ぶとともに、当該２つの第２端子１３２ａ，１３２ｂの間に第２基準端子１３１を挟むように配置されている。更に、接続方向Ｚ１（図７（ｃ）において紙面垂直方向）から見て、当該２つの第２端子１３２ａ，１３２ｂと第２基準端子１３１とは一直線上に並んでいる。また、各第２端子１３２ａ，１３２ｂと第２基準端子１３１との間の間隔は、各第１端子６２ａ〜６２ｄと第１基準端子６１との間の間隔と等しい。このように、第２端子１３２ａ，１３２ｂは、接続方向Ｚ１から見て、第２基準端子１３１を中心として２回の回転対称となるように配置されている。また、第２端子１３２ａ，１３２ｂは、第２コネクタ側分流部材１５１Ｂにて短絡されている。第２コネクタ側分流部材１５１Ｂには、バッテリ１１に接続される電線が電気的に接続されている。
【０１０１】
図７（ａ）及び図７（ｃ）に示すように、接続方向Ｚ１に第１基準端子６１と第２基準端子１３１とを対向させた状態で、接続方向Ｚ１に延びる軸線回りに第２基準端子１３１を中心として第１コネクタ２１Ａに対して第２コネクタ２２Ｃを９０°回転させるごとに、第２コネクタ２２Ｃと第１コネクタ２１Ａとを接続可能とすることができる。なお、図７（ｃ）に示す第２コネクタ２２Ｃにおいて、第２端子１３２ｂを第２端子１３２ａから９０°離して配置した場合（即ち図７（ｃ）において第２基準端子１３１の真上もしくは真下に第２端子１３２ｂを配置した場合）にも、同様に第１コネクタ２１Ａに第２コネクタ２２Ｃを接続することができる。
【０１０２】
また例えば、図７（ａ）に示す第１コネクタ２１Ａに対して、図７（ｄ）に示す第２コネクタ２２Ｄを接続することができる。第２コネクタ２２Ｄは、第２基準端子１３１の周囲に１つの第２端子１３２ａを有する。第２端子１３２ａと第２基準端子１３１との間の間隔は、各第１端子６２ａ〜６２ｄと第１基準端子６１との間の間隔と等しい。また、第２端子１３２ａには、バッテリ１１に接続される電線が電気的に接続されている。
【０１０３】
図７（ａ）及び図７（ｄ）に示すように、接続方向Ｚ１に第１基準端子６１と第２基準端子１３１とを対向させた状態で、接続方向Ｚ１に延びる軸線回りに第２基準端子１３１を中心として第１コネクタ２１Ａに対して第２コネクタ２２Ｄを９０°回転させるごとに、第２コネクタ２２Ｄと第１コネクタ２１Ａとを接続可能とすることができる。
【０１０４】
また例えば、図７（ａ）に示す第１コネクタ２１Ａに対して、第２基準端子１３１の周囲に３つの第２端子１３２ａ〜１３２ｃを有する第２コネクタを接続することができる。この第２コネクタにおいて、３つの第２端子１３２ａ〜１３２ｃは、接続方向Ｚ１から見て、周方向に９０°間隔に並ぶとともに、各第２端子１３２ａ〜１３２ｃと第２基準端子１３１との間の間隔は、各第１端子６２ａ〜６２ｄと第１基準端子６１との間の間隔と等しい。また、第２端子１３２ａ〜１３２ｃは、第２コネクタ側分流部材にて短絡されている。そして、当該第２コネクタと第１コネクタ２１Ａとは、接続方向Ｚ１に第１基準端子６１と第２基準端子１３１とを対向させた状態で、接続方向Ｚ１に延びる軸線回りに第２基準端子１３１を中心として第１コネクタ２１に対して第２コネクタを９０°回転させるごとに接続可能とすることができる。
【０１０５】
また例えば、図８（ａ）に示す第１コネクタ２１Ｂは、第１基準端子６１の周囲に３つの第１端子６２ａ〜６２ｃを有する。３つの第１端子６２ａ〜６２ｃは、接続方向Ｚ１（図８（ａ）において紙面垂直方向）から見て、周方向に１２０°間隔に並ぶとともに、各第１端子６２ａ〜６２ｃと第１基準端子６１との間の間隔は互いに等しい。即ち、第１端子６２ａ〜６２ｃは、接続方向Ｚ１から見て、第１基準端子６１を中心として３回の回転対称となるように配置されている。また、第１端子６２ａ〜６２ｃは、第１コネクタ側分流部材８１Ｂにて短絡されている。第１コネクタ側分流部材８１Ｂには、図示しないインバータに接続される電線が電気的に接続されている。
【０１０６】
このような第１コネクタ２１Ｂに対しては、例えば、図８（ｂ）に示す第２コネクタ２２Ｅを接続することができる。第２コネクタ２２Ｅは、第２基準端子１３１の周囲に３つの第２端子１３２ａ〜１３２ｃを有する。３つの第２端子１３２ａ〜１３２ｃは、接続方向Ｚ１（図８（ｂ）において紙面垂直方向）から見て、周方向に１２０°間隔に並ぶとともに、各第２端子１３２ａ〜１３２ｃと第２基準端子１３１との間の間隔は、各第１端子６２ａ〜６２ｃと第１基準端子６１との間の間隔と等しい。このように、第２端子１３２ａ〜１３２ｃは、接続方向Ｚ１から見て、第２基準端子１３１を中心として３回の回転対称となるように配置されている。また、第２端子１３２ａ〜１３２ｃは、第２コネクタ側分流部材１５１Ｃにて短絡されている。第２コネクタ側分流部材１５１Ｃには、バッテリ１１に接続される電線が電気的に接続されている。
【０１０７】
図８（ａ）及び図８（ｂ）に示すように、接続方向Ｚ１に第１基準端子６１と第２基準端子１３１とを対向させた状態で、接続方向Ｚ１に延びる軸線回りに第２基準端子１３１を中心として第１コネクタ２１Ｂに対して第２コネクタ２２Ｅを１２０°回転させるごとに、第２コネクタ２２Ｅと第１コネクタ２１Ｂとを接続可能とすることができる。
【０１０８】
また例えば、図８（ａ）に示す第１コネクタ２１Ｂに対して、図８（ｃ）に示す第２コネクタ２２Ｆを接続することができる。第２コネクタ２２Ｆは、第２基準端子１３１の周囲に２つの第２端子１３２ａ，１３２ｂを有する。２つの第２端子１３２ａ，１３２ｂは、接続方向Ｚ１（図８（ｃ）において紙面垂直方向）から見て、周方向に１２０°間隔に並ぶとともに、各第２端子１３２ａ，１３２ｄと第２基準端子１３１との間の間隔は、各第１端子６２ａ〜６２ｃと第１基準端子６１との間の間隔と等しい。また、第２端子１３２ａ，１３２ｂは、第２コネクタ側分流部材１５１Ｄにて短絡されている。第２コネクタ側分流部材１５１Ｄには、バッテリ１１に接続される電線が電気的に接続されている。
【０１０９】
図８（ａ）及び図８（ｃ）に示すように、接続方向Ｚ１に第１基準端子６１と第２基準端子１３１とを対向させた状態で、接続方向Ｚ１に延びる軸線回りに第２基準端子１３１を中心として第１コネクタ２１Ｂに対して第２コネクタ２２Ｆを１２０°回転させるごとに、第２コネクタ２２Ｆと第１コネクタ２１Ｂとを接続可能とすることができる。
【０１１０】
また例えば、図８（ａ）に示す第１コネクタ２１Ｂに対して、図８（ｄ）に示す第２コネクタ２２Ｇを接続することができる。第２コネクタ２２Ｇは、第２基準端子１３１の周囲に１つの第２端子１３２ａを有する。第２端子１３２ａと第２基準端子１３１との間の間隔は、各第１端子６２ａ〜６２ｃと第１基準端子６１との間の間隔と等しい。また、第２端子１３２ａには、バッテリ１１に接続される電線が電気的に接続されている。
【０１１１】
図８（ａ）及び図８（ｄ）に示すように、接続方向Ｚ１に第１基準端子６１と第２基準端子１３１とを対向させた状態で、接続方向Ｚ１に延びる軸線回りに第２基準端子１３１を中心として第１コネクタ２１Ｂに対して第２コネクタ２２Ｇを１８０°回転させるごとに、第２コネクタ２２Ｇと第１コネクタ２１Ｂとを接続可能とすることができる。
【０１１２】
なお、第１コネクタに第１端子が４つ以上備えられる場合には、第１端子の各々と第１基準端子６１との間の間隔は、接続方向Ｚ１から見て複数の第１端子が第１基準端子６１を中心として回転対称となるように配置されているのであれば、必ずしも等しくなくてもよい。但し、第１端子の各々と第１基準端子６１との間の間隔を等しくすると、接続方向Ｚ１と直交する方向に第１コネクタ及び第２コネクタが大型化されることを抑制することができる。
【０１１３】
・上記第１実施形態では、第１コネクタ２１において、第１基準端子６１及び第１端子６２ａ，６２ｂは、ハウジング本体３１とは別部品で形成されて、同ハウジング本体３１に対して組み付けられている。しかしながら、第１基準端子６１及び第１端子６２ａ，６２ｂは、ハウジング本体３１にインサート成形されることにより同ハウジング本体３１と一体に設けられてもよい。また、第１基準端子６１及び第１端子６２ａ，６２ｂは、バックリテーナ３２にインサート成形されることにより同バックリテーナ３２と一体に設けられてもよい。第１基準端子６１及び第１端子６２ａ，６２ｂがバックリテーナ３２にインサート成形される場合には、第１嵌合部４１は、支持部４２を必ずしも備えなくてもよい。
【０１１４】
同様に、上記第１実施形態では、第２コネクタ２２において、第２基準端子１３１及び第２端子１３２ａ，１３２ｂは、ハウジング本体１０１とは別部品で形成されて、同ハウジング本体１０１に対して組み付けられている。しかしながら、第２基準端子１３１及び第２端子１３２ａ，１３２ｂは、ハウジング本体１０１にインサート成形されることにより同ハウジング本体１０１と一体に設けられてもよい。また、第２基準端子１３１及び第２端子１３２ａ，１３２ｂは、バックリテーナ１０２にインサート成形されることにより同バックリテーナ１０２と一体に設けられてもよい。第２基準端子１３１及び第２端子１３２ａ，１３２ｂがバックリテーナ１０２にインサート成形される場合には、第２嵌合部１１１は、支持部１１２を必ずしも備えなくてもよい。
【０１１５】
上記第２実施形態においても同様である。
・上記第１実施形態では、第１ハウジング３０は、ハウジング本体３１と、バックリテーナ３２とから構成されている。しかしながら、第１ハウジング３０の構成はこれに限らない。例えば、第１ハウジング３０は、ハウジング本体３１とバックリテーナ３２とが一体に形成されたものであってもよい。この場合、第１基準端子６１及び第１端子６２ａ，６２ｂは、第１ハウジング３０にインサート成形されてもよいし、別部品で形成されて組み付けられてもよい。また、ハウジング本体３１及びバックリテーナ３２の少なくとも１つは、２つ以上の部品を組み付けて構成されたものであってもよい。これらは、上記第１実施形態の第２ハウジング１００についても同様である。また、上記第２実施形態においても同様である。
【０１１６】
・上記第１実施形態において、第１ハウジング３０及び第２ハウジング１００の形状は適宜変更してもよい。例えば、第１ハウジング３０において筒状部４３を円筒状、楕円筒状、多角筒状等に変更してもよい。この場合、第２ハウジング１００の筒状部１１３も第１ハウジング３０の筒状部４３の形状に応じて変更される。上記第２実施形態においても同様である。
【０１１７】
・上記各実施形態において、第１基準端子６１を陰極、第１端子６２ａ，６２ｂを陽極とするとともに、第２基準端子１３１を陰極、第２端子１３２ａ，１３２ｂを陽極としてもよい。
【０１１８】
・上記第１実施形態では、第１コネクタ２１に備えられる第１基準端子６１及び第１端子６２ａ，６２ｂは雌端子であるとともに、第２コネクタ２２に備えられる第２基準端子１３１及び第２端子１３２ａ，１３２ｂは雄端子である。しかしながら、第１コネクタ２１に備えられる第１基準端子６１及び第１端子６２ａ，６２ｂを雄端子とするとともに、第２コネクタ２２に備えられる第２基準端子１３１及び第２端子１３２ａ，１３２ｂを雌端子としてもよい。第２実施形態においても同様である。
【０１１９】
・上記各実施形態では、第１基準端子６１、第１端子６２ａ，６２ｂ、第２基準端子１３１及び第２端子１３２ａ，１３２ｂは、何れも銅または銅合金よりなるが、銅及び銅合金以外の導電性の金属材料よりなるものであってもよい。例えば、第１基準端子６１、第１端子６２ａ，６２ｂ、第２基準端子１３１及び第２端子１３２ａ，１３２ｂは、アルミニウムまたはアルミニウム合金よりなるものであってもよい。
【０１２０】
・上記各実施形態において、第１基準端子６１及び第１端子６２ａ，６２ｂの形状及び構成は適宜変更してもよい。この場合、第２基準端子１３１及び第２端子１３２ａ，１３２ｂは、第２嵌合部１１１の中心線Ｌ１１に沿って第２コネクタ２２を移動させることにより第１基準端子６１及び第１端子６２ａ，６２ｂに対して着脱可能に電気的に接続されるように構成されればよい。
【０１２１】
例えば、雌端子である第１基準端子６１及び第１端子６２ａ，６２ｂを、導電性材料よりなり筒状をなす接点収容部と、この接点収容部の内部に収容され同接点収容部と電気的に接続された接点部材とから構成される端子としてもよい。例えば第１基準端子６１を当該端子に変更する場合には、第１ハウジング３０において中央の保持部５２に接点収容部を内嵌するとともに、第１ハウジング３０の外部において同接点収容部にインバータに接続される電線を電気的に接続する。そして、この接点収容部の内部に収容される接点部材は、例えば、複数の板ばねが周方向に配置された形状をなすもの、即ちルーバ状に並んだ複数の板ばねを有するものが用いられる。この接点部材は、接点収容部の内周面に当接することにより同接点収容部と電気的に接続されている。この場合、保持部５２の軸方向に沿って第１基準端子６１に第２基準端子１３１が挿入されると、第２基準端子１３１の端子本体１３３は、接点部材の内側に挿入される。そして、接点部材の複数の板ばねが端子本体１３３の外周面を径方向内側に向けて押圧しつつ同外周面に接触することにより、第１基準端子６１と第２基準端子１３１とは電気的に接続される。このようにすると、接点部材の各板ばねが第２基準端子１３１に接触する接点部を有することになるため、第１基準端子６１は、周方向に多数の接点部を有することになる。そのため、第１基準端子６１と第２基準端子１３１との接触抵抗を減少できるとともに、例えば１００Ａ以上といった大電流がコネクタ装置２０に通された場合であっても、当該接点部が異常に発熱することが抑制される。
【０１２２】
また、接点収容部の内部に収容される接点部材としては、例えば斜めコイルスプリングを用いることもできる。この接点部材は、接点収容部の内周面に当接することにより同接点収容部と電気的に接続されている。この場合、保持部５２の軸方向に沿って第１基準端子６１に第２基準端子１３１が挿入されると、第２基準端子１３１の端子本体１３３は、接点部材の内側に挿入される。そして、接点部材が端子本体１３３の外周面を径方向内側に向けて押圧しつつ同外周面に接触することにより、第１基準端子６１と第２基準端子１３１とは電気的に接続される。このようにしても、上記したルーバ状に並んだ複数の板ばねを有する接点部材を用いた場合と同様の効果を得ることができる。
【０１２３】
また例えば、第１基準端子６１及び第１端子６２ａ，６２ｂと、第２基準端子１３１及び第２端子１３２ａ，１３２ｂとは、第１基準端子６１及び第１端子６２ａ，６２ｂに対して第２基準端子１３１及び第２端子１３２ａ，１３２ｂが接続方向Ｚ１から当接することにより電気的に接続される構成であってもよい。
【０１２４】
・上記第１実施形態では、第１コネクタ２１が車体１３に固定されるとともに、第２コネクタ２２がバッテリ１１のケース１２に固定されている。しかしながら、第１コネクタ２１がバッテリ１１のケース１２に固定されるとともに、第２コネクタ２２が車体１３に固定されてもよい。
【０１２５】
・上記第１実施形態では、第１コネクタ２１は、車体１３に固定されている。しかしながら、第１コネクタ２１は、車体１３に直接固定される以外に、車体１３に固定もしくは搭載されたインバータ等の機器に固定されることにより、当該機器を介して車体１３に間接的に固定されてもよい。上記第２実施形態においても同様である。
【０１２６】
・上記各実施形態では、コネクタ装置２０，２０Ａは、電動バイク、電気自転車等の電動車両の車体１３側とバッテリ１１とを電気的に接続するために用いられている。しかしながら、コネクタ装置２０，２０Ａの用途はこれに限らず、一方の電線と他方の電線の接続及び接続解除を繰り返すことがある場合に、当該一方の電線と他方の電線との間に使用されてもよい。例えば、電動の三輪車や四輪車の車体側とバッテリとを電気的に接続するために用いられてもよい。
【０１２７】
上記実施形態及び変更例から把握できる技術的思想について記載する。
（イ）前記接続方向から見て、複数の前記第１端子は、前記第１基準端子の外周に配置されるとともに、複数の前記第１端子の各々と前記第１基準端子との間の間隔が等しく、前記接続方向から見て、前記第２基準端子と前記第２端子との間の間隔は、前記第１基準端子と前記第１端子との間の間隔と等しい、請求項１から請求項４の何れか１項に記載のコネクタ装置。
【０１２８】
上記態様によれば、第１コネクタと第２コネクタとの接続方向と直交する方向に第１コネクタ及び第２コネクタが大型化されることを抑制することができる。
【符号の説明】
【０１２９】
２０，２０Ａ…コネクタ装置
２１，２１Ａ，２１Ｂ…第１コネクタ
２２，２２Ａ，２２Ｂ，２２Ｃ，２２Ｄ，２２Ｅ，２２Ｆ，２２Ｇ…第２コネクタ
６１…第１基準端子
６２ａ〜６２ｄ…第１端子
８１，８１Ａ，８１Ｂ…第１コネクタ側分流部材
８８…接続部
１３１…第２基準端子
１３２ａ〜１３２ｄ…第２端子
１５１，１５１Ａ，１５１Ｂ，１５１Ｃ，１５１Ｄ…第２コネクタ側分流部材
Ｚ１…接続方向
【図１】
2020135940.tif 000003
【図２】
2020135940.tif 000004
【図３】
2020135940.tif 000005
【図４】
2020135940.tif 000006
【図５】
2020135940.tif 000007
【図６】
2020135940.tif 000008
【図７】
2020135940.tif 000009
【図８】
2020135940.tif 000010